(57)【要約】【課題】複数のズームレンズを有する場合であっても大型化を抑制することができる顕微鏡を提供すること。【解決手段】本発明にかかる顕微鏡は、対物レンズを着脱自在に取り付け可能な対物レンズ支持部と、一つまたは複数のズームレンズをそれぞれ保持する複数のズームレンズ枠、および観察光軸に沿って延び、複数のズームレンズ枠の移動を案内する案内部を有し、観察像の焦点距離を変更可能なズーム部と、対物レンズ支持部を支持し、かつズーム部を内部に保持する光学ヘッドと、ズームレンズ枠の移動を制御する制御部と、観察光軸上に配置されている対物レンズの倍率に対応する複数のズームレンズ枠の位置関係を記憶する記憶部と、を備え、複数のズームレンズ枠は、各々駆動源が設けられ、共通の案内部に沿って移動可能である。【選択図】図２
2018028634.tif 000002
【特許請求の範囲】
【請求項１】
対物レンズを着脱自在に取り付け可能な対物レンズ支持部と、
一つまたは複数のズームレンズをそれぞれ保持する複数のズームレンズ枠、および観察光軸に沿って延び、前記複数のズームレンズ枠の移動を案内する案内部を有し、観察像の焦点距離を変更可能なズーム部と、
前記対物レンズ支持部を支持し、かつ前記ズーム部を内部に保持する光学ヘッドと、
前記ズームレンズ枠の移動を制御する制御部と、
前記観察光軸上に配置されている前記対物レンズの倍率に対応する前記複数のズームレンズ枠の位置関係を記憶する記憶部と、
を備え、
前記複数のズームレンズ枠は、各々駆動源が設けられ、共通の前記案内部に沿って移動可能である
ことを特徴とする顕微鏡。
【請求項２】
前記ズーム部が結像した前記観察像を取り込む撮像部、
をさらに備えることを特徴とする請求項１に記載の顕微鏡。
【請求項３】
前記ズーム部は、
当該ズーム部に入射した光の開口数を調整可能であり、かつ前記案内部に沿って移動可能な開口絞り、
をさらに有し、
前記記憶部は、前記対物レンズの瞳共役位置に応じた前記開口絞りの位置を対物レンズの種別と関連付けて記憶し、
前記制御部は、前記観察光軸上に配置されている前記対物レンズの瞳共役位置に前記開口絞りを配置する
ことを特徴とする請求項１に記載の顕微鏡。
【請求項４】
前記案内部は、
板状をなして前記観察光軸に沿って延び、
前記観察光軸に沿って延びる面であって、互いに対をなす面にそれぞれ設けられる第１および第２ラック部、
を有し、
前記複数のズームレンズ枠は、前記第１または第２ラック部のいずれかに歯合可能なピニオン部をそれぞれ有する
ことを特徴とする請求項１に記載の顕微鏡。
【請求項５】
前記複数のズームレンズ枠は、第１ズームレンズ枠および第２ズームレンズ枠からなり、
前記第１ズームレンズ枠のピニオン部は、前記案内部の前記第１ラック部と歯合し、
前記第２ズームレンズ枠のピニオン部は、前記案内部の前記第２ラック部と歯合する
ことを特徴とする請求項４に記載の顕微鏡。
【発明の詳細な説明】
【技術分野】
【０００１】
本発明は、標本の観察倍率を変更可能なズーム部を備えた顕微鏡に関する。
【背景技術】
【０００２】
従来、観察像の拡大倍率を変更可能なズーム機構を有する顕微鏡が知られている。ズーム機構として、例えば、特許文献１のように、表面にカム溝が形成された円柱状のカム軸と、ズームレンズを保持し、カム軸の回転に連動して軸方向に移動可能なレンズ保持部材とを備え、ズームレンズを移動させることで拡大倍率を変更させる技術が知られている。このほかのズーム機構として、ボールねじなどの送り機構によりズームレンズを移動可能な技術も知られている。一般に、ズーム機構は、ズームレンズのストロークを確保して拡大倍率の変更範囲を大きくするため、顕微鏡の光学ヘッドに設けられている。
【先行技術文献】
【特許文献】
【０００３】
【特許文献１】特開２００４−２１９８２１号公報
【発明の概要】
【発明が解決しようとする課題】
【０００４】
しかしながら、従来のズーム機構は、独立して移動させるズームレンズの数だけ、カム軸や送り機構が増えてしまう。これにより、ズームレンズの数が増えれば、光学ヘッドも大型化してしまうという問題があった。
【０００５】
本発明は、上記に鑑みてなされたものであり、複数のズームレンズを有する場合であっても大型化を抑制することができる顕微鏡を提供することを目的とする。
【課題を解決するための手段】
【０００６】
上述した課題を解決し、目的を達成するために、本発明にかかる顕微鏡は、対物レンズを着脱自在に取り付け可能な対物レンズ支持部と、一つまたは複数のズームレンズをそれぞれ保持する複数のズームレンズ枠、および観察光軸に沿って延び、前記複数のズームレンズ枠の移動を案内する案内部を有し、観察像の焦点距離を変更可能なズーム部と、前記対物レンズ支持部を支持し、かつ前記ズーム部を内部に保持する光学ヘッドと、前記ズームレンズ枠の移動を制御する制御部と、前記観察光軸上に配置されている前記対物レンズの倍率に対応する前記複数のズームレンズ枠の位置関係を記憶する記憶部と、を備え、前記複数のズームレンズ枠は、各々駆動源が設けられ、共通の前記案内部に沿って移動可能であることを特徴とする。
【０００７】
また、本発明にかかる顕微鏡は、上記の発明において、前記ズーム部が結像した前記観察像を取り込む撮像部、をさらに備えることを特徴とする。
【０００８】
また、本発明にかかる顕微鏡は、上記の発明において、前記ズーム部は、当該ズーム部に入射した光の開口数を調整可能であり、かつ前記案内部に沿って移動可能な開口絞り、をさらに有し、前記記憶部は、前記対物レンズの瞳共役位置に応じた前記開口絞りの位置を対物レンズの種別と関連付けて記憶し、前記制御部は、前記観察光軸上に配置されている前記対物レンズの瞳共役位置に前記開口絞りを配置することを特徴とする。
【０００９】
また、本発明にかかる顕微鏡は、上記の発明において、前記案内部は、板状をなして前記観察光軸に沿って延び、前記観察光軸に沿って延びる面であって、互いに対をなす面にそれぞれ設けられる第１および第２ラック部、を有し、前記複数のズームレンズ枠は、前記第１または第２ラック部のいずれかに歯合可能なピニオン部をそれぞれ有することを特徴とする。
【００１０】
また、本発明にかかる顕微鏡は、上記の発明において、前記複数のズームレンズ枠は、第１ズームレンズ枠および第２ズームレンズ枠からなり、前記第１ズームレンズ枠のピニオン部は、前記案内部の前記第１ラック部と歯合し、前記第２ズームレンズ枠のピニオン部は、前記案内部の前記第２ラック部と歯合することを特徴とする。
【発明の効果】
【００１１】
本発明によれば、複数のズームレンズを有する場合であっても大型化を抑制することができるという効果を奏する。
【図面の簡単な説明】
【００１２】
【図１】図１は、本発明の実施の形態にかかる顕微鏡の概略構成を示す模式図である。
【図２】図２は、本発明の実施の形態にかかる顕微鏡の要部の構成を模式的に示す図である。
【図３】図３は、本発明の実施の形態にかかる顕微鏡の要部の構成を模式的に示す図である。
【図４】図４は、本発明の実施の形態にかかる顕微鏡の要部の構成を模式的に示す図である。
【発明を実施するための形態】
【００１３】
以下、本発明を実施するための形態を図面とともに詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００１４】
（実施の形態）
まず、本発明の実施の形態にかかる顕微鏡について、図面を参照して説明する。図１は、本発明の実施の形態にかかる顕微鏡の概略構成を示す模式図である。なお、図１において、顕微鏡１が載置される平面をＸＹ平面とし、ＸＹ平面と垂直な方向をＺ方向として説明する。
【００１５】
図１に示す顕微鏡１は、試料Ｓを観察する顕微鏡本体部１０と、顕微鏡本体部１０が試料Ｓを撮像した画像データに対応する画像を表示する表示部２０と、顕微鏡１の各種データを記憶する記憶部２１と、顕微鏡本体部１０および表示部２０の駆動を制御するコントローラ３０と、を備える。
【００１６】
顕微鏡本体部１０は、ステージ１１と、レボルバ１２と、対物レンズ１３と、光源１４と、コリメートレンズ１５と、ハーフミラー１６と、折り返しミラー１７と、ズーム部１８と、撮像部１９と、を備える。
【００１７】
ステージ１１は、試料Ｓが載置される。ステージ１１は、ＸＹＺ方向に移動自在に構成される。ステージ１１は、コントローラ３０の制御のもと、モータ等の駆動部によってＸＹ平面内で移動自在に構成されてもよい。
【００１８】
レボルバ１２は、倍率（観察倍率）が異なる複数の対物レンズ１３を保持することが可能な対物レンズ保持部である。レボルバ１２は、顕微鏡本体部１０に対して回転自在に設けられ、試料Ｓの観察に用いる対物レンズ１３を試料Ｓの上方、換言すれば第１観察光軸Ｎ1上に配置する。対物レンズ保持部は、レボルバ１２のほか、一つの対物レンズ１３を取り付け可能なものなど、対物レンズ１３を第１観察光軸Ｎ1上に配置可能なものであれば適用可能である。
【００１９】
対物レンズ１３は、光源１４が照射する照明光を試料Ｓに集光するとともに、試料Ｓから反射した観察光を取り込む。対物レンズ１３としては、たとえば１倍、２倍、４倍等の比較的に倍率の低い対物レンズや、１０倍、２０倍、４０倍等の低倍対物レンズの倍率に対して高倍率である対物レンズが挙げられる。レボルバ１２には、上述した倍率の対物レンズ１３のうちの少なくとも１つが装着される。なお、上述した対物レンズ１３の倍率は一例であり、試料Ｓの観察に適した倍率が選択される。
【００２０】
光源１４は、コントローラ３０の制御のもと、試料Ｓに照明光を出射する。光源１４は、ハロゲンランプ、キセノンランプまたはＬＥＤ（Light  Emitting  Diode）等の白色光源によって構成される。
【００２１】
コリメートレンズ１５は、光源１４から出射された照明光（以下、「落射照明光」という）を集光して平行光に変換する。
【００２２】
ハーフミラー１６は、照明光を対物レンズ１３に反射する一方、対物レンズ１３を介して入射される試料Ｓの観察光を透過する。
【００２３】
折り返しミラー１７は、ハーフミラー１６を透過した観察光をズーム部１８側に折り返す。
【００２４】
ズーム部１８は、一つまたは複数のズームレンズと、開口絞りとを有し、コントローラ３０による制御のもと、対物レンズ１３の倍率と、設定されたズーム倍率とに応じて、ズームレンズ等を移動させて、撮像部の受光面上に観察像を結像する。
【００２５】
撮像部１９は、ズーム部１８によって結像された観察像を取り込む、すなわち観察光を受光して光電変換を行うことによって、試料Ｓの画像データを生成し、この画像データをコントローラ３０に出力する。撮像部１９は、ＣＣＤ（Charge  Coupled  Device）や、ＣＭＯＳ（Complementary  Metal  Oxide  Semiconductor）等を用いて構成される。
【００２６】
上述した対物レンズ１３、光源１４、コリメートレンズ１５、ハーフミラー１６、折り返しミラー１７、ズーム部１８および撮像部１９は、光学ヘッド１００の内部に設けられる。光学ヘッド１００は、レボルバ１２を保持し、顕微鏡本体部１０のヘッド部をなしている。
【００２７】
表示部２０は、後述するコントローラ３０を介して入力される画像データに対応する画像や顕微鏡１の操作情報を表示する。表示部２０は、液晶または有機ＥＬ（Electro  Luminescence）等からなる表示パネルを用いて構成される。表示部２０は、対物レンズ選択ボタン２０１と、ズーム倍率設定ボタン２０２とを有する。ユーザは、対物レンズ選択ボタン２０１およびズーム倍率設定ボタン２０２の押下により、対物レンズ１３の選択入力や、ズーム倍率の設定入力を行うことができる。具体的に、ユーザは、表示パネルに表示された対物レンズの倍率（例えば１〜５０倍）や、ズーム倍率（例えば１〜１０倍）を選択したのち、ボタンを押下して設定入力を行う。
【００２８】
なお、レボルバ１２に装着されている対物レンズ１３のうち、第１観察光軸Ｎ1上に配置されている対物レンズ１３の種別は、レボルバ１２の回転位置を検出することによって識別するようにしてもよいし、第１観察光軸Ｎ1上に配置されている対物レンズ１３を直接検出するようにしてもよい。
【００２９】
記憶部２１は、顕微鏡１を動作させる各種プログラム、プログラムの実行中に使用される各種データおよび撮像部１９が生成した画像データ等を記憶する。記憶部２１は、揮発性メモリおよび不揮発性メモリ等を用いて構成される。また、記憶部２１は、対物レンズ１３の種別、例えば倍率に応じた第１ズームレンズ群および第２ズームレンズ群の位置を記憶するとともに、対物レンズ１３の瞳共役位置に応じた開口絞りの位置や開口の径を対物レンズの種別に対応付けて記憶している。
【００３０】
コントローラ３０は、ＣＰＵ（Central  Processing  Unit）等の汎用プロセッサやＡＳＩＣ（Application  Specific  Integrated  Circuit）等の特定の機能を実行する各種演算回路等の専用プロセッサ、メモリ等を用いて構成され、顕微鏡１を構成する各部に対して制御信号や各種データの送信を行うことにより、顕微鏡１の動作を統括的に制御する。
【００３１】
ここで、コントローラ３０の詳細な構成について説明する。コントローラ３０は、画像処理部３０１と、制御部３０２と、を有する。
【００３２】
画像処理部３０１は、撮像部１９から順次入力される画像データに対して、所定の画像処理を行い、この画像処理を行った画像データを表示部２０に順次出力する。具体的には、画像処理部３０１は、画像データに対して、オプティカルブラック低減処理、ホワイトバランス調整処理、カラーマトリクス演算処理、ガンマ補正処理、色再現処理およびエッジ強調処理等の画像処理を行って表示部２０に出力する。また、画像処理部３０１は、画像データの輝度値を算出する。
【００３３】
制御部３０２は、記憶部２１に記憶された各種プログラムを読み込むことにより、顕微鏡１全体の動作を統括的に制御する。また、制御部３０２は、画像処理部３０１が生成した画像データを表示部２０に表示させる制御を行う。制御部３０２は、駆動制御部３０２ａを有する。
【００３４】
駆動制御部３０２ａは、レボルバ１２の回転や、光源１４のオンオフ動作、ズーム部１８の駆動、撮像部１９による撮像動作を制御する。例えば、駆動制御部３０２ａは、図示しない操作入力部から撮像部１９の静止画撮影を指示する指示信号が入力された場合、撮像部１９に静止画撮影を実行させる。
【００３５】
以上のように構成された顕微鏡本体部１０において、光源１４によって出射された照明光は、コリメートレンズ１５により平行光に変換されて照明光軸Ｎ0に沿って進行する。平行光は、ハーフミラー１６によって反射されて第１観察光軸Ｎ1に沿って進行し、対物レンズ１３を介して試料Ｓに照射される。試料Ｓで反射した観察光は、ハーフミラー１６を透過して、折り返しミラー１７に折り返されて第２観察光軸Ｎ2に沿って進行した後、ズーム部１８によって集光されて撮像部１９の受光面で結像される。
【００３６】
次に、ズーム部１８の構成について図面を参照して説明する。図２は、本発明の実施の形態にかかる顕微鏡の要部の構成を模式的に示す図である。図３は、本発明の実施の形態にかかる顕微鏡の要部の構成を模式的に示す図である。図４は、本発明の実施の形態にかかる顕微鏡の要部の構成を模式的に示す図である。
【００３７】
ズーム部１８は、ズームベース１８１と、案内部１８２と、第１ズームレンズ枠１８３と、開口絞り１８４と、第２ズームレンズ枠１８５とを備える。ズーム部１８において、第２観察光軸Ｎ2の方向の両端には、ズーム光学系の一部をなす図示しない固定レンズがそれぞれ設けられている。なお、上述した固定レンズは、ズーム部１８の外側に設けられていてもよい。
【００３８】
ズームベース１８１は、当該ズーム部１８の各構成要素を保持する。また、ズームベース１８１には、第１ズームレンズ枠１８３、開口絞り１８４および第２ズームレンズ枠１８５の位置を検出可能な検出部（第１検出部１８１ａ、第２検出部１８１ｂ、第３検出部１８１ｃ）が設けられている。
【００３９】
第１検出部１８１ａ、第２検出部１８１ｂ、第３検出部１８１ｃは、各々フォトインタラプタを用いて構成され、発光部と受光部との間に、第１ズームレンズ枠１８３、開口絞り１８４および第２ズームレンズ枠１８５が通過して光が遮断された際に検出信号を出力する。
【００４０】
第１検出部１８１ａは、第１ズームレンズ枠１８３が基準位置に配置されている際に検出信号を出力する位置に設けられている。第２検出部１８１ｂは、開口絞り１８４が基準位置に配置されている際に検出信号を出力する位置に設けられている。第３検出部１８１ｃは、第２ズームレンズ枠１８５が基準位置に配置されている際に検出信号を出力する位置に設けられている。
【００４１】
案内部１８２は、第２観察光軸Ｎ2に沿って延びる板状をなし、第１ズームレンズ枠１８３、開口絞り１８４および第２ズームレンズ枠１８５の移動を案内する。案内部１８２には、第２観察光軸Ｎ2に沿って延び、かつ第１観察光軸Ｎ1と平行な側面において、第１ズームレンズ枠１８３および第２ズームレンズ枠１８５と歯合可能な第１ラック部１８２ａが設けられている。また、案内部１８２の第１ラック部１８２ａが設けられる側面と対向する側面において、開口絞り１８４と歯合可能な第２ラック部１８２ｂが設けられている。第１ズームレンズ枠１８３、開口絞り１８４および第２ズームレンズ枠１８５は、共通の案内部１８２により移動方向が案内される。
【００４２】
第１ズームレンズ枠１８３は、二つのズームレンズからなるズームレンズ群１８３ａと、ズームレンズ群１８３ａを保持し、案内部１８２に沿って移動可能な移動部材１８３ｂと、第１ラック部１８２ａに歯合可能な歯車形状をなすピニオン部１８３ｃと、ピニオン部１８３ｃを回転させるモータ１８３ｄと、移動部材１８３ｂに取り付けられてなり、ピニオン部１８３ｃおよびモータ１８３ｄを軸のまわりに回転自在に支持する支持部１８３ｅと、移動部材１８３ｂから板状をなして延出してなり、移動部材１８３ｂの移動によって第１検出部１８１ａの発光部と受光部との間を通過可能な位置検出用部材１８３ｆとを有する。第１ズームレンズ枠１８３が備えるズームレンズは、バリエータレンズとして機能し、第２観察光軸Ｎ2に沿って移動することによって、観察像の大きさを変化させる。
【００４３】
開口絞り１８４は、ズーム部１８に入射した光の開口数を調整する。開口絞り１８４は、開口の径の大きさを変更可能な開口部１８４ａが設けられ、案内部１８２に沿って移動可能な移動部材１８４ｂと、第２ラック部１８２ｂに歯合可能な歯車形状をなすピニオン部１８４ｃと、ピニオン部１８４ｃを回転させるモータ１８４ｄと、移動部材１８４ｂに取り付けられてなり、ピニオン部１８４ｃおよびモータ１８４ｄを軸のまわりに回転自在に支持する支持部１８４ｅと、移動部材１８４ｂから板状をなして延出してなり、移動部材１８４ｂの移動によって第２検出部１８１ｂの発光部と受光部との間を通過可能な位置検出用部材１８４ｆとを有する。
【００４４】
開口部１８４ａは、例えばシャッタにより構成されており、駆動制御部３０２ａによる制御のもとでシャッタが駆動され、該シャッタのなす開口の径が制御される。
【００４５】
第２ズームレンズ枠１８５は、第１ズームレンズ枠１８３と同様の構成をなし、二つのズームレンズからなるズームレンズ群１８５ａと、ズームレンズ群１８５ａを保持し、案内部１８２に沿って移動可能な移動部材１８５ｂと、第１ラック部１８２ａに歯合可能な歯車形状をなすピニオン部と、ピニオン部を回転させるモータと、移動部材１８５ｂに取り付けられてなり、第１ピニオン部およびモータを軸のまわりに回転自在に支持する支持部と、移動部材１８５ｂから板状をなして延出してなり、移動部材１８５ｂの移動によって第３検出部１８１ｃの発光部と受光部との間を通過可能な位置検出用部材１８５ｃとを有する。第２ズームレンズ枠１８５が備えるズームレンズは、コンペンセータレンズとして機能し、第２観察光軸Ｎ2に沿って移動することによって、焦点のずれを補正する。
【００４６】
第１ズームレンズ枠１８３、開口絞り１８４および第２ズームレンズ枠１８５の各モータは、例えばステッピングモータにより構成され、駆動制御部３０２ａからのパルスに基づき回転量、回転タイミングが制御される。また、顕微鏡１では、装置起動時のイニシャライズ時、第１ズームレンズ枠１８３、開口絞り１８４および第２ズームレンズ枠１８５を移動させて、第１検出部１８１ａ〜第３検出部１８１ｃからの検出信号を取得し、それぞれの基準位置の設定を行う。
【００４７】
例えば、対物レンズ選択ボタン２０１およびズーム倍率設定ボタン２０２からの設定入力により、対物レンズ１３の倍率が５倍、ズーム倍率が１倍に設定された場合、まず、駆動制御部３０２ａは、記憶部２１を参照して対物レンズの倍率とズーム倍率との組み合わせに対応する第１ズームレンズ枠１８３、開口絞り１８４および第２ズームレンズ枠１８５の位置を取得する。その後、駆動制御部３０２ａは、第１ズームレンズ枠１８３、開口絞り１８４および第２ズームレンズ枠１８５が取得した位置に配置されるよう、各モータを駆動する。例えば、開口絞り１８４が、５倍の対物レンズ１３の瞳共役位置に対応する位置に配置される。これにより、第１観察光軸Ｎ1上に配置されている対物レンズ１３の倍率と、設定されたズーム倍率とに応じて、第１ズームレンズ枠１８３、開口絞り１８４および第２ズームレンズ枠１８５を配置することができる。
【００４８】
このように、駆動制御部３０２ａが、設定された対物レンズ１３の倍率、およびズーム倍率に応じた配置となるようにモータを駆動させることよって、第１ズームレンズ枠１８３、開口絞り１８４および第２ズームレンズ枠１８５を適切な位置に配置することができる。記憶部２１には、設定されうる対物レンズの倍率と、ズーム倍率との組み合わせに応じた第１ズームレンズ枠１８３、開口絞り１８４および第２ズームレンズ枠１８５の配置、および開口絞り１８４の開口の径に関する情報が記憶されている。
【００４９】
上述した本実施の形態によれば、ズーム部１８において、第１ズームレンズ枠１８３、開口絞り１８４および第２ズームレンズ枠１８５を、ラックアンドピニオンの構成を用いて、一つの案内部に沿って移動させるようにした。これにより、従来のように、移動対象ごとに移動軸を設ける必要がなく、複数のズームレンズを有する場合であっても大型化を抑制することができる。
【００５０】
また、上述した本実施の形態によれば、駆動制御部３０２ａが、設定された対物レンズ１３の倍率、およびズーム倍率に応じて、記憶部２１に記憶されている配置を参照して、第１ズームレンズ枠１８３、開口絞り１８４および第２ズームレンズ枠１８５を移動させるようにした。このため、ユーザは、対物レンズ選択ボタン２０１およびズーム倍率設定ボタン２０２を押下するのみで、第１ズームレンズ枠１８３、開口絞り１８４および第２ズームレンズ枠１８５を適切な位置に配置することができる。
【００５１】
なお、上述した実施の形態では、第１ラック部１８２ａに第１ズームレンズ枠１８３および第２ズームレンズ枠１８５が歯合し、第２ラック部１８２ｂに開口絞り１８４が歯合するものとして説明したが、第１ラック部１８２ａおよび第２ラック部１８２ｂの歯合対象はこれに限らない。例えば、第１ラック部１８２ａに、第１ズームレンズ枠１８３、開口絞り１８４および第２ズームレンズ枠１８５が歯合するようにしてもよい。
【００５２】
また、上述した実施の形態では、対物レンズ１３の倍率、およびズーム倍率に応じて第１ズームレンズ枠１８３、開口絞り１８４および第２ズームレンズ枠１８５を移動させるものとして説明したが、対物レンズ１３の倍率およびズーム倍率のうち、いずれか一方の設定に応じて第１ズームレンズ枠１８３、開口絞り１８４および第２ズームレンズ枠１８５を移動させるものであってもよい。例えば、ズーム倍率設定ボタン２０２を有しない構成において、対物レンズ１３の倍率の設定に応じて第１ズームレンズ枠１８３、開口絞り１８４および第２ズームレンズ枠１８５を移動させるものであってもよい。
【００５３】
また、上述した実施の形態では、第１ズームレンズ枠１８３および第２ズームレンズ枠１８５を有するものとして説明したが、ズームレンズ枠は二つに限らず、三つ以上有するものであってもよい。
【００５４】
また、上述した実施の形態では、ズーム部においてステッピングモータを用いるものとして説明したが、スケールと検出部とを備え、位置情報を検出可能なＤＣモータを用いてもよい。
【００５５】
また、上述した実施の形態では、ズーム部においてラックアンドピニオンによりズームレンズ枠を移動させるものとして説明したが、複数のズームレンズ枠が共通のリニアレール上を移動するリニアガイドを用いるものであってもよい。
【００５６】
また、上述した実施の形態では、撮像部１９により観察像を撮像する例を説明したが、撮像部１９に代えて接眼レンズを設けて、ユーザが目視観察を行う構成としてもよい。
【００５７】
また、上述した実施の形態では、対物レンズ１３を通過する第１観察光軸Ｎ1の光が、折り返しミラー１７によって第２観察光軸Ｎ2の光に折り曲げられ、第２観察光軸Ｎ2に沿ってズームレンズや開口絞りを移動させるものとして説明したが、折り返しミラー１７を設けずに、撮像部１９や接眼レンズが、第１観察光軸Ｎ1の光が導光されるものであってもよい。この場合、ズーム部１８のズームレンズや開口絞りも、第１観察光軸Ｎ1に沿って移動させるものとなる。
【００５８】
上述した実施の形態は、本発明を実施するための例にすぎず、本発明はこれらに限定されるものではない。また、本発明は、各実施の形態に開示されている複数の構成要素を適宜組み合わせることによって、種々の発明を形成できる。本発明は、仕様等に応じて種々変形することが可能であり、更に本発明の範囲内において、他の様々な実施の形態が可能であることは、上記記載から自明である。
【符号の説明】
【００５９】
１  顕微鏡
１０  顕微鏡本体部
１１  ステージ
１２  レボルバ
１３  対物レンズ
１４  光源
１５  コリメートレンズ
１６  ハーフミラー
１７  折り返しミラー
１８  ズーム部
１９  撮像部
２０  表示部
２１  記憶部
３０  コントローラ
１８１  ズームベース
１８１ａ  第１検出部
１８１ｂ  第２検出部
１８１ｃ  第３検出部
１８２  案内部
１８３  第１ズームレンズ枠
１８３ａ，１８５ａ  ズームレンズ群
１８３ｂ，１８４ｂ，１８５ｂ  移動部材
１８３ｃ，１８４ｃ  ピニオン部
１８３ｄ，１８４ｄ  モータ
１８３ｅ，１８４ｅ  支持部
１８３ｆ，１８４ｆ，１８５ｃ  位置検出用部材
１８４  開口絞り
１８４ａ  開口部
１８５  第２ズームレンズ枠
２０１  対物レンズ選択ボタン
２０２  ズーム倍率設定ボタン
【図１】
2018028634.tif 000003
【図２】
2018028634.tif 000004
【図３】
2018028634.tif 000005
【図４】
2018028634.tif 000006